(57)【特許請求の範囲】
【請求項１】
清掃具に回転可能に取り付けられる芯材の外周に、セル数１０〜４０（個／２５ｍｍ）であって、直径１．５〜４．０ｍｍのセルを、２５ｃｍ２あたり５０個〜２００個有し、直径１．５ｍｍ以上の粗いセルと直径１．５ｍｍ未満の細かいセルが混在する厚みが５ｍｍ以上の発泡体からなる集塵用発泡体を設けたことを特徴とする清掃ローラ。
【請求項２】
前記発泡体は、硬さが２０〜１００Ｎであることを特徴とする請求項１に記載の清掃ローラ。
【請求項３】
前記発泡体は、反発弾性率が３０〜６０％であることを特徴とする請求項１または２に記載の清掃ローラ。
【請求項４】
清掃ローラの芯材の外周に着脱可能に設けられる集塵用発泡体であって、セル数１０〜４０（個／２５ｍｍ）で、かつ直径１．５〜４．０ｍｍのセルを、２５ｃｍ２あたり５０個〜２００個有し、直径１．５ｍｍ以上の粗いセルと直径１．５ｍｍ未満の細かいセルが混在した発泡体からなることを特徴とする清掃ローラの集塵用発泡体。
【発明の詳細な説明】
【技術分野】
【０００１】
本発明は、清掃具に回転可能に取り付けられる清掃ローラ及びその集塵用発泡体に関する。
【背景技術】
【０００２】
従来、フローリングや、カーペット、絨毯等に対する清掃具として、軸部材の外周に繊維を植設したブラシ状の清掃ローラを有するものや、円筒体の外周面に溝や突部を螺旋状に設けた凹凸表面の清掃ローラを有するものや、粘着シートを表面に設けた清掃ローラを有するものなどがある。前記清掃具においては、前記清掃ローラを清掃面で転がすことにより、清掃面のゴミ（毛、繊維、埃など、一般的にゴミと称されるものを含む）を除去することができる。
【０００３】
しかし、ブラシ状の清掃ローラは、カーペットや絨毯等に対してはゴミを掻き出す作用が高いことから好適であるが、フローリングに対しては清掃効果が低いのみならず、フローリングの表面を傷つけるおそれがある。しかも清掃ローラにおける繊維（ブラシ）の根元にゴミが溜まり易く、溜まったゴミを除去し難い問題がある。
【０００４】
一方、凹凸表面の清掃ローラは、フローリングに対しては傷を付け難いために好適であるが、カーペットや絨毯等に対してはゴミを掻き出す作用に劣るため、清掃効果が低い問題がある。
【０００５】
また、粘着シートを有する清掃ローラは、カーペットや絨毯等に対しては使用できるが、フローリングに対しては粘着シートが貼り付いて剥がれなくなるおそれがあるため、使用できない問題がある。
【０００６】
【特許文献１】特開２００３−１９９６９８号公報
【発明の開示】
【発明が解決しようとする課題】
【０００７】
本発明は前記の点に鑑みなされたものであって、カーペットや絨毯のみならず、フローリングにも好適であって、しかも清掃効果が高く、清掃ローラの表面に付着したゴミを除去し易い清掃ローラ及びその集塵用発泡体の提供を目的とする。
【課題を解決するための手段】
【０００８】
請求項１の発明は、清掃具に回転可能に取り付けられる芯材の外周に、セル数１０〜４０（個／２５ｍｍ）であって、直径１．５〜４．０ｍｍのセルを、２５ｃｍ２あたり５０個〜２００個有し、直径１．５ｍｍ以上の粗いセルと直径１．５ｍｍ未満の細かいセルが混在する厚みが５ｍｍ以上の発泡体からなる集塵用発泡体を設けたことを特徴とする清掃ローラに係る。
【０００９】
請求項２の発明は、請求項１において、前記発泡体の硬さが２０〜１００Ｎであることを特徴とする。
【００１０】
請求項３の発明は、請求項１または２において、前記発泡体の反発弾性率が３０〜６０％であることを特徴とする。
【００１１】
請求項４の発明は、清掃ローラの芯材の外周に着脱可能に設けられる集塵用発泡体であって、セル数１０〜４０（個／２５ｍｍ）で、かつ直径１．５〜４．０ｍｍのセルを、２５ｃｍ２あたり５０個〜２００個有し、直径１．５ｍｍ以上の粗いセルと直径１．５ｍｍ未満の細かいセルが混在した発泡体からなることを特徴とする。
【発明の効果】
【００１２】
請求項１の発明によれば、清掃具に回転可能に取り付けられる芯材の外周に、セル数１０〜４０（個／２５ｍｍ）の発泡体からなる集塵用発泡体を設けた構成としたことにより、フローリングを傷付けたり、フローリングに貼り付いて剥がれなくなったりするおそれがなく、しかも、フローリング表面のゴミのみならず、カーペットや絨毯などに付着しているゴミについても、発泡体のセルに付着保持させてフローリングやカーペット及び絨毯などの清掃面から除去することができる。さらに、集塵用発泡体を構成する発泡体を、セル数１０〜４０（個／２５ｍｍ）としたことで、目視で確認できるゴミを有効に集塵用発泡体に付着保持させて清掃面から除去することができる。
【００１３】
請求項１の発明によれば、集塵用発泡体を構成する発泡体が、直径１．５〜４．０ｍｍのセルを、２５ｃｍ２あたり５０個〜２００個有し、しかも請求項１に規定されるように、セル数１０〜４０（個／２５ｍｍ）であるため、集塵用発泡体を構成する発泡体には、直径１．５〜４．０ｍｍの大きなセルとそれより小さいセルが、セル数１０〜４０（個／２５ｍｍ）となるように混在しており、大きさの異なるゴミを、集塵用発泡体表面のセルの部分に付着保持させて清掃面から効率よく除去することができる。
【００１４】
請求項２の発明によれば、集塵用発泡体を構成する発泡体の硬さが２０〜１００Ｎであるため、フローリングの継ぎ目部分の凹凸やカーペット及び絨毯表面の凹凸に対して集塵用発泡体が追従しやすく、清掃面に対して集塵用発泡体の接触面積を大きくとれることから、集塵用発泡体によるゴミ除去効果を高めることができる。
【００１５】
請求項３の発明によれば、集塵用発泡体を構成する発泡体の反発弾性率が３０〜６０％であるため、集塵用発泡体は、清掃面との接触により圧縮された部分がスムーズに回復し、次に清掃面と接触する際に再び圧縮可能となり、清掃面からのゴミ除去を効率よく行うことができる。さらに、集塵用発泡体に付着したゴミを集塵用発泡体から取るのも容易である。
【００１６】
請求項４の発明によれば、清掃ローラの芯材の外周に着脱可能に設けられる集塵用発泡体が、セル数１０〜４０（個／２５ｍｍ）で、かつ直径１．５〜４．０ｍｍのセルを、２５ｃｍ２あたり５０個〜２００個有し、直径１．５ｍｍ以上の粗いセルと直径１．５ｍｍ未満の細かいセルが混在した発泡体からなるため、請求項１と同様の効果が得られる。
【発明を実施するための最良の形態】
【００１７】
図１は本発明の第１実施形態に係る清掃ローラの斜視図、図２は第２実施形態に係る清掃ローラの斜視図、図３は第２実施形態に係る清掃ローラが取り付けられた清掃具の一例を示す斜視図、図４は、本実施例において清掃ローラの芯材の外周に着脱可能に設けられる集塵用発泡体の実施形態を示す斜視図である。
【００１８】
図１に示す第１実施形態に係る清掃ローラ１０は、清掃具に回転可能に取り付けられる芯材２１の外周に集塵用発泡体３１を設けたものである。前記清掃具としては、例えば電気掃除機や、棒状操作部材の先端に清掃部材を有する簡易清掃具などを挙げることができる。前記清掃ローラ１０は、前記電気掃除機においてはゴミの吸引口に取り付けられ、また、前記簡易清掃具においては清掃部材として棒状操作部材の先端に取り付けられる。
【００１９】
前記芯材２１は、本実施例では金属やプラスチック等の棒状体からなるシャフトで構成されている。前記シャフト２１の両端が清掃具に回転可能に取り付けられる。
【００２０】
前記集塵用発泡体３１は、セル数１０〜４０（個／２５ｍｍ）の発泡体からなる。セル数は、ＪＩＳ  Ｋ６４００−１（軟質発泡材料−物理特性の求め方）にしたがう測定値である。セル数が１０（個／２５ｍｍ）未満の場合、発泡体のセルが粗くなって細かいゴミを付着保持できなくなり、一方、セル数が４０（個／２５ｍｍ）を超える場合には、目が細かくなって目視できるゴミを付着保持できなくなる。前記集塵用発泡体３１の外形サイズは、清掃ローラ１０が取り付けられる清掃具に応じて定まるが、厚みに関しては５ｍｍ以上が好ましい。厚みが５ｍｍ未満の場合には、ゴミの保持性が劣るようになる。また、前記集塵用発泡体３１は、筒状とされて、前記芯材２１の外周に着脱交換可能に取り付けられているが、交換不能に接着等で固定されてもよい。
【００２１】
前記集塵用発泡体３１を構成する発泡体は、連通気泡構造を主体とするものが好ましく、具体的にはポリウレタンフォームが特に好適である。ポリウレタンフォームは、耐摩耗性が良好なために前記集塵用発泡体３１の耐久性を向上させることができ、また安価であって入手も容易である。
【００２２】
前記集塵用発泡体３１を構成する発泡体のセル構造として、より好ましいものは、前記セル数が１０〜４０（個／２５ｍｍ）の要件に加えて、直径１．５〜４．０ｍｍ（より好ましくは１．５〜３．０ｍｍ）のセルを、２５ｃｍ２あたり５０個〜２００個有するものである。このことは、セル数１０〜４０（個／２５ｍｍ）の発泡体が、直径１．５ｍｍ以上の粗いセルと直径１．５ｍｍ未満の細かいセルの混在したものであることを意味する。これにより、前記集塵用発泡体３１の表面は、大小の開口（セルの部分）が集合したもので構成されることになり、ゴミのサイズに幅広く対応することができ、清掃効率を高めることができる。
【００２３】
前記集塵用発泡体３１を構成する発泡体の好ましい硬さは、２０〜１００Ｎ（より好ましくは２０〜５０Ｎ）である。硬さは、ＪＩＳ  Ｋ６４００−２（軟質発泡材料−物理特性の求め方）にしたがう測定値である。前記範囲の硬さとすることで、清掃面の凹凸等に前記集塵用発泡体３１の表面が容易に追従可能になり、清掃面に対する接触面積が広くなってゴミを効率よく集塵用発泡体３１に付着保持することができるようになる。
【００２４】
前記集塵用発泡体３１を構成する発泡体の好ましい反発弾性率は、３０〜６０％である。反発弾性率は、ＪＩＳ  Ｋ６４００−３（軟質発泡材料−物理特性の求め方）にしたがう測定値である。前記反発弾性率とすることにより、清掃面との接触で圧縮された部分がスムーズに回復し、次に清掃面と接触する際に再び圧縮可能となって、清掃面からのゴミ除去を効率よく行うことができる。さらに、前記集塵用発泡体３１に付着したゴミを集塵用発泡体３１から取るのも容易になる。
【００２５】
前記集塵用発泡体３１を構成する発泡体は、表面が切断面とされたものが好ましく、特にはスラブ発泡体を裁断や打ち抜き等の切断により所望形状としたものが好ましい。スラブ発泡体は、コンベアベルト上にポリウレタン発泡原料を連続的に吐出させて、大気圧下、常温で発泡させたもので、通常、所定長のブロックに裁断されている。なお、本実施形態においては、前記集塵用発泡体３１を構成する発泡体は筒状に形成されているが、シート状のものを前記芯材２１の外周に巻き付けるようにしてもよい。
【００２６】
図２に示す第２実施形態の清掃ローラ１０Ａは、筒状体からなる芯材２１Ａの外周に集塵用発泡体３１Ａを設けたものであり、前記筒状体２１Ａにおける中心の貫通孔２２Ａに、清掃具の軸部が挿入されて、清掃具に回転可能に取り付けられる。
【００２７】
前記第２実施形態の集塵用発泡体３１Ａを構成する発泡体は、前記第１実施形態で説明した集塵用発泡体３１を構成する発泡体と同様である。
【００２８】
図３には、前記第２実施形態の清掃ローラ１０Ａが取り付けられた清掃具４０を示す。前記清掃具４０は、一端側に把持部Ｈが設けられ、他端側に前記把持部Ｈと直交する方向に清掃ローラ取付部Ｈ２が形成された軸部Ｈ１を有する。前記軸部Ｈ１の清掃ローラ取付部Ｈ２が前記清掃ローラ１０Ａにおける芯材２１Ａの中心孔２２Ａに挿入され、前記清掃ローラ１０Ａが回転可能に清掃ローラ取付部Ｈ２に取り付けられている。前記清掃具４０は、前記把持部Ｈを持って前記清掃ローラ１０Ａを清掃面で動かして前記清掃ローラ１０Ａを回転させることにより、清掃面の清掃を行うことができる。
【００２９】
図４には、清掃ローラの芯材の外周に着脱可能に設けられる集塵用発泡体３１Ｂの実施形態を示す。前記集塵用発泡体３１Ｂは、例えば図１及び図２に示した清掃ローラの芯材２１，２１Ａに着脱可能に設けられるものであり、集塵用発泡体３１Ｂの汚れがひどくなった場合に新しいものと交換される。前記集塵用発泡体３１Ｂを構成する発泡体は、前記第１実施形態及び第２実施形態の清掃ローラにおける集塵用発泡体３１，３１Ａを構成する発泡体と同様である。なお、前記集塵用発泡体３１Ｂを芯材に対して着脱可能とする方法は、適宜の方法とされる。例えば、芯材の外径に対して前記集塵用発泡体３１Ｂの内径を所定量小さくし、前記集塵用発泡体３１Ｂの弾性を利用して芯材の外周に装着固定する方法や、芯材の外周面と前記集塵用発泡体３１Ｂの内周面に嵌合用凹凸を設けて、嵌合用凹凸の嵌合により固定する方法を挙げることができる。
【実施例】
【００３０】
表１に示す発泡体１〜６を、長さ１７０ｍｍ、外径４０ｍｍ、内径１８ｍｍに打ち抜き加工した集塵用発泡体を、長さ２００ｍｍ、直径２０ｍｍの芯材に取り付けた実施例と参考例の清掃ローラ（図１示したもの）を、市販の清掃具におけるブラシ式の清掃ローラに代えて取り付け、フローリングとカーペットに対して清掃を行ったところ、何れに対しても良好に清掃することができた。しかもフローリングを傷つけることもなかった。なお、表１における発泡体１〜６は何れもポリウレタンフォームであって、（株）イノアックコーポレーション製のものである。発泡体１の品名はＫＲ−１、発泡体２の品名はＥＣＺ、発泡体３の品名はＭＦ−１３、発泡体４の品名はＭＦ−２０、発泡体５の品名はＭＦ−３０、発泡体６の品名はＣＦ−ＥＳＮである。
【００３１】
【表１】
0004717584.tif 000002
【００３２】
また、実施例１〜２、参考例３〜６に関して、フローリングの表面に髪の毛、糸くず、小石、菓子粉からなるゴミをばらまき、それらのゴミの種類による清掃効果の違いを、清掃後のフローリング表面を目視観察することで行った。比較のため、発泡体のセル数が本発明の範囲から外れる比較例１、２、集塵用発泡体を独立気泡構造のゴムスポンジで構成した比較例３、従来のブラシ式からなる比較例４についても、同様にしてフローリングに対する清掃効果を調べた。なお、比較例１の発泡体７の品名はＭＦ−８（（株）イノアックコーポレーション製）、比較例２の発泡体８の品名はＭＦ−５０（（株）イノアックコーポレーション製）である。
【００３３】
清掃効果の結果は、表１の下部に示す通りであり、実施例１〜２と参考例３〜６は、比較例と比べて何れも良好な清掃効果があった。また、硬さが比較的高く、直径１．５〜４．０ｍｍのセルの個数が多い参考例３〜４と、硬さが比較的高く、直径１．５〜４．０ｍｍのセルの個数が少ない参考例５は、小石に対する清掃効果が他の実施例よりも低かった。なお、参考例６は反発弾性率が低いため、集塵用発泡体に一旦付着保持されたゴミが集塵用発泡体から離れ難く、集塵用発泡体からゴミを取るのが難しい点で実施例１及び２よりも劣っていた。それに対し、比較例１はセル数が少ない（セルが粗い）ため、清掃面にゴミの取り残しが顕著であり（清掃効果が低く）、比較例２は、セル数が多い（セルが細かい）ため、集塵用発泡体にゴミを保持することができず、清掃面を清掃することができなかった。一方、ゴムスポンジからなる比較例３は、全ての種類のゴミを保持（清掃）することができず、また、ブラシ式の比較例４は特に小石と菓子粉を保持（清掃）する能力に劣っていた。
【図面の簡単な説明】
【００３４】
【図１】第１実施形態に係る清掃ローラの斜視図である。
【図２】第２実施形態に係る清掃ローラの斜視図である。
【図３】第２実施形態に係る清掃ローラを取り付けた清掃具の一例に関する斜視図である。
【図４】清掃ローラの芯材の外周に着脱可能に設けられる集塵用発泡体の実施形態を示す斜視図である。
【符号の説明】
【００３５】
１０，１０Ａ  清掃ローラ
２１，２１Ａ  芯材
３１，３１Ａ，３１Ｂ  集塵用発泡体
【図１】
0004717584.tif 000003
【図２】
0004717584.tif 000004
【図３】
0004717584.tif 000005
【図４】
0004717584.tif 000006